(57)【特許請求の範囲】
【請求項１】
物品を収容する収容空間が形成されたカバー部材と、カバー部材の背面開口部を閉じる背面部材とを備え、カバー部材の縁辺に設けられた舌片と背面部材の縁辺に設けられた舌片とを掛合させることによりカバー部材と背面部材とが閉じるブリスター容器であって、カバー部材の舌片と背面部材の舌片とを互いに掛合させることなく重ね合わせた場合のそれらの対向面にそれぞれ突起が、掛合させることなく重ね合わせたカバー部材の舌片と背面部材の舌片の表面に露出しないように設けられているブリスター容器。
【請求項２】
カバー部材の舌片と背面部材の舌片による掛合部が、ブリスター容器の少なくとも一縁辺の両端部に形成されている請求項１記載のブリスター容器。
【発明の詳細な説明】
【技術分野】
【０００１】
本発明は、ブリスター容器に関する。
【背景技術】
【０００２】
ブリスター容器は、概略、透明な合成樹脂シートを、収容する物品の外形に沿う形状に成形したカバー部材と、カバー部材の背面開口部を閉じる背面部材とからなる。ブリスター容器には、背面部材をカバー部材とは別体の台紙として構成したものと、カバー部材と背面部材とを一体の樹脂シートで形成し、ヒンジ部を介してカバー部材と背面部材を連設したものがあり、また、カバー部材と背面部材とを別体として構成したものには、カバー部材の折り返し縁に背面部材をスライドさせてこれらを組み立てるものと、カバー部材と背面部材の凹凸を嵌合させて組み立てるもの等があるが、いずれにおいても、カバー部材が背面部材で閉じられた状態を維持するために、シュリンク包装、ステープル止め、接着剤シール、舌片による掛合等の接合方法が利用されている（特許文献１〜３）。
【０００３】
このうち、舌片による掛合は、簡便にカバー部材と背面部材の開閉を繰り返すことができ、ステープルの止め針や、剥がしたシュリンクフィルム等のように開封に伴う廃棄物が生じない点で好ましい。
【０００４】
【特許文献１】特許3983791号公報
【特許文献２】特開平9-295656号公報
【特許文献３】特開2004-123111号公報
【発明の開示】
【発明が解決しようとする課題】
【０００５】
しかしながら、カバー部材と背面部材を共に無色透明な樹脂シートから形成した場合には、カバー部材の舌片と、背面部材の舌片とが掛合しているか、あるいは単に重なっているだけかの見分けがつき難いという問題があった。
【０００６】
これに対し、本発明は、カバー部材の舌片と背面部材の舌片とを掛合させることによりカバー部材と背面部材が閉じるブリスター容器において、カバー部材の舌片と背面部材の舌片との掛合の成否が容易にわかるようにすることを目的とする。
【課題を解決するための手段】
【０００７】
本発明は、上述の目的を達成するため、物品を収容する収容空間が形成されたカバー部材と、カバー部材の背面開口部を閉じる背面部材とを備え、カバー部材の縁辺に設けられた舌片と背面部材の縁辺に設けられた舌片とを掛合させることによりカバー部材と背面部材とが閉じるブリスター容器であって、カバー部材の舌片と背面部材の舌片とを互いに掛合させることなく重ね合わせた場合のそれらの対向面にそれぞれ突起が設けられているブリスター容器を提供する。
【発明の効果】
【０００８】
本発明のブリスター容器によれば、カバー部材の舌片と背面部材の舌片とを互いに掛合させることなく重ね合わせた場合のそれらの対向面にそれぞれ突起が設けられているので、カバー部材の舌片と背面部材の舌片とが掛合している場合には、舌片に設けられている突起が掛合部の表面に現れる。反対に、カバー部材の舌片と背面部材の舌片とが掛合していない場合には、掛合部の表面は突起のない滑らかなものとなる。したがって、視覚によっても触感によっても、掛合の成否を容易に判別することが可能となる。
【発明を実施するための最良の形態】
【０００９】
以下、図面を参照しつつ本発明を具体的に説明する。なお、各図中、同一符号は、同一又は同等の構成要素を表している。
【００１０】
図１は、本発明の一実施例のブリスター容器１に物品３０を収容した状態の正面図（ａ）と底面図（ｂ）であり、図２は、そのブリスター容器１のカバー部材１０と背面部材２０とを開いた状態の平面図である。
【００１１】
このブリスター容器１は、カバー部材１０と背面部材２０とを透明なシート状の合成樹脂から一体成形し、これらがヒンジ部２を介して連設するようにしたものである。カバー部材１０は、このブリスター容器１で収容する物品３０の外形に沿った凸部１１を有するが、この凸部１１により形成される物品３０の収容空間１２とカバー部材の縁部１３との間に、ブリスター容器１の長手方向に伸びた余剰空間１４も有するように成形されている。この余剰空間１４は、ブリスター容器１のデザイン上の要請から、あるいは物品３０の景品や物品３０の関連商品のサンプル等を付加的に収容する空間を確保するなどの要請で設けられる。
【００１２】
一方、背面部材２０は、カバー部材１０の収容空間１２に物品３０を収容した状態でカバー部材１０の背面開口部を閉じるように、板状に形成されている。
【００１３】
また、カバー部材１０の収容空間１２に物品３０を収容し、ヒンジ２でカバー部材１０と背面部材２０とを折り曲げ、カバー部材１０の背面開口部に背面部材２０を嵌め入れることにより、カバー部材１０と背面部材２０とを閉じた場合に、その閉じた状態が維持されるようにするため、ヒンジ部２と反対側のブリスター容器１の縁辺３の両端部には、カバー部材１０の舌片１５と背面部材２０の舌片２５とを互いに掛け合わせる掛合部４ａ、４ｂが形成されている。
【００１４】
各掛合部４ａ、４ｂでは、カバー部材１０の舌片１５がその縁辺３の形成方向の外方に突出している。また、カバー部材の舌片１５が縁辺３の形成方向の外方へずれるのを妨げるように、背面部材２０の舌片２５が、カバー部材１０の舌片１５の突出方向と交わる方向に突出している。そこで、カバー部材１０の舌片１５と背面部材２０の舌片２５の非掛合状態では図３Ａのようにこれらの舌片１５、２５が重なり合うが、掛合状態では図３Ｂのように、カバー部材１０を平面視した場合に、カバー部材１０の舌片１５が背面部材２０の舌片２５の下に隠れ、一方、背面部材２０を平面視した場合（カバー部材１０を背面視した場合）には、背面部材２０の舌片２５がカバー部材１０の舌片１５の下に隠れた状態となる。
【００１５】
図３Ａに示すように、各接合部４ａ、４ｂでカバー部材１０の舌片１５と背面部材２０の舌片２５とを重ねた場合のそれらの対向面には、それぞれ突起１６、２６が形成されている。突起１６、２６は、本発明の特徴的な構成であり、その形状と大きさは、成形性及び使用感等の点から、半球状とし、その高さＨは１〜２ｍｍとすることが好ましい。この他、突起１６、２６は、円柱乃至角柱の先端部の角を丸めた形状としても良く、円柱の先端部に半球状部分を一体化させた形状としても良い。
【００１６】
図３Ｂに示すように、掛合部４ａ、４ｂにおいてカバー部材１０の舌片１５と背面部材２０の舌片２５とが掛合している場合には、突起１６、２６は、掛合部４ａ、４ｂの表面に露出する。このため、ブリスター容器１を平面視した場合に、舌片１５、２５の掛合状態を視覚的に確認できるだけでなく、感触によっても容易に確認することができる。反対に、図３Ａに示すように、これらの舌片１５、２５が掛合しておらず、単に重なっているだけの場合には、突起１６、２６が掛合部４ａ、４ｂの表面に露出しない。このため、この部分の感触は滑らかとなり、視覚によっても感触によっても掛合が外れていることがわかる。したがって、突起１６、２６の形成により、ブリスター容器１による物品３０の包装作業時、あるいは流通、店頭の各段階で、掛合の成否を容易に確認することが可能となる。
【００１７】
このブリスター容器１の製造方法としては、ポリ塩化ビニル、ポリエチレン、ポリプロピレン、ポリエチレンテレフタレート、ポリスチレン、ポリカーボネート等の各種樹脂シートを用い、真空成形又は圧空成形することにより得ることができる。また、カバー部材１０と背面部材２０のシート厚は、収容する物品の大きさ、形状等によって適宜定めるが、通常、０．１〜１ｍｍ、好ましくは０．３〜０．８ｍｍとする。
【００１８】
ブリスター容器１の使用方法としては、カバー部材１０の収容空間１２に物品３０を収容し、ヒンジ部２でカバー部材１０と背面部材２０とを折り曲げ、カバー部材１０の背面開口部を背面部材２０で閉じ、掛合部４ａ、４ｂでカバー部材１０の舌片１５と背面部材２０の舌片２５とを掛合させる。こうしてブリスター容器１で包装した物品３０は、流通にのり、店頭に置かれる。
【００１９】
本発明は、種々の態様をとることができる。例えば、個々の掛合部４ａ、４ｂに設ける突起１６、２６の数は、複数個としてもよい。
【００２０】
また、カバー部材１０と背面部材２０とがヒンジ部２で連設している態様に限らず、これらを別体として構成してもよい。カバー部材と背面部材とを別体として構成する場合、カバー部材の折り返し縁に背面部材をスライドさせてこれらを組み立てるものとしてもよく、カバー部材と背面部材の凹凸を嵌合させて組み立てるものとしてもよい。カバー部材１０の舌片１５と背面部材２０の舌片２５による掛合部４ａ、４ｂは、ブリスター容器の一縁辺に限らず、対向する２つの縁辺に設けてもよい。
【００２１】
さらに、カバー部材と背面部材とを別体として構成する場合には、背面部材２０の形成材料としては、前述の樹脂シートの他、板紙、合成紙、板紙又は合成紙と樹脂シートとの積層材等を用いることができる。この場合、突起２６の形成方法としては、真空成形、圧空成形、ヒートエンボス等をあげることができる。
【００２２】
また、カバー部材１０と背面部材２０とを一体に構成する場合、別体に構成する場合のいずれの態様においても、舌片１５、２５による掛合が無用に外れることを防止するため、掛合部はブリスター容器の縁辺の両端部に設けることが好ましいが、ブリスター容器の形状、用途等によっては、縁辺の中央部のみに設けてもよい。
【産業上の利用可能性】
【００２３】
本発明のブリスター容器は、化粧品、清掃具、日用雑貨品、事務用品、機械部品等の種々の物品の包装容器として有用である。
【図面の簡単な説明】
【００２４】
【図１】ブリスター容器の正面図（ａ）及び底面図（ｂ）である。
【図２】ブリスター容器を開いた状態の平面図である。
【図３Ａ】掛合部で舌片を掛合させていない状態のブリスター容器の斜視図及び掛合部の断面図である。
【図３Ｂ】掛合部で舌片を掛合させた状態のブリスター容器の斜視図及び掛合部の断面図である。
【符号の説明】
【００２５】
１    ブリスター容器
２    ヒンジ部
３    縁辺
４ａ、４ｂ    掛合部
１０    カバー部材
１１    凸部
１２    収容空間
１３    縁部
１４    余剰空間
１５    カバー部材の舌片
１６    カバー部材の突起
２０    背面部材
２５    背面部材の舌片
２６    背面部材の突起
３０    物品
【図１】
0005298652.tif 000002
【図２】
0005298652.tif 000003
【図３Ａ】
0005298652.tif 000004
【図３Ｂ】
0005298652.tif 000005